(57)【要約】【課題】  ユーザが光ディスクを光ディスク装置へ挿入する使い勝手が良く、かつ光ディスク装置への異物の誤挿入を防止すること。【解決手段】  本体ケース７と、前面パネル３と、この前面パネル３に光ディスク１２を挿入する挿脱口１１を有する電子機器であって、本体ケース７に、光ディスク１２に保持されたデータを再生する再生部１０が収納され、挿脱口１１と再生部１０の間に光ディスク１２の通過するガイド部材１８を備え、このガイド部材１８に下側開口部１８ａを設ける構成とした。【選択図】図２
2012142038.tif 000002
【特許請求の範囲】
【請求項１】
本体ケースと、前面パネルと、この前面パネルに光ディスクを挿入する挿脱口を有する電子機器であって、
前記本体ケースに、前記光ディスクに保持されたデータを再生する再生部が収納され、
前記挿脱口と前記再生部の間に前記光ディスクの通過するガイド部材を備え、このガイド部材に下側開口部を設ける構成とした電子機器。
【請求項２】
前記下側開口部にリブ部を設ける構成としたことを特徴とする請求項１に記載の電子機器。
【請求項３】
前記下側開口部を複数設ける構成としたことを特徴とする請求項１または２に記載の電子機器。
【請求項４】
前記下側開口部を通過した異物を収納する収納部を備えることを特徴とする請求項１に記載の電子機器。
【請求項５】
前記収納部は、前記異物を前記前面パネルおよび前記本体ケースの外側に取り出し可能なスリットに接続されていることを特徴とする請求項４に記載の電子機器。
【発明の詳細な説明】
【技術分野】
【０００１】
本発明は、光ディスク装置を収納する電子機器に関し、特に挿入された光ディスクを光ディスク装置へ誘導するガイド部材を有する電子機器に関する。
【背景技術】
【０００２】
車載用として用いられる電子機器において、本体ケースと、前面パネルと、この前面パネルに光ディスクを挿入する挿脱口を有する電子機器であって、本体ケースに、光ディスクに保持されたデータを再生する再生部が収納され、挿脱口から再生部へ光ディスクを誘導するガイド部材を備えたものがある。
【０００３】
例えば、図５に示すように、光ディスク装置１０ａへ光ディスク１２を挿入するため、前面パネル３と光ディスク装置１０ａの間にガイド部材１８を設ける構成がある（例えば、特許文献１参照）。
【先行技術文献】
【特許文献】
【０００４】
【特許文献１】実開平１−１２１１９３号公報
【発明の概要】
【発明が解決しようとする課題】
【０００５】
しかしながら、従来の構造では、子供などが誤って光ディスクの挿入口に硬貨などの異物を挿入すると、挿入された異物がガイド部材により光ディスク装置の内部に安易に入り込み、電子機器が故障することがある。
【０００６】
本発明は、従来の問題を解決するためになされたもので、光ディスク装置への異物の誤挿入を防止することのできる電子機器を提供することを目的とする。
【課題を解決するための手段】
【０００７】
本発明は、本体ケースと、前面パネルと、この前面パネルに光ディスクを挿入する挿脱口を有する電子機器であって、本体ケースに、光ディスクに保持されたデータを再生する再生部が収納され、挿脱口と再生部の間に光ディスクの通過するガイド部材を備え、このガイド部材に下側開口部を設ける構成とした。
【発明の効果】
【０００８】
本発明は、従来の問題を解決するために、本体ケースと、前面パネルと、この前面パネルに光ディスクを挿入する挿脱口を有する電子機器であって、本体ケースに、光ディスクに保持されたデータを再生する再生部が収納され、挿脱口と再生部の間に光ディスクの通過するガイド部材を備え、このガイド部材に下側開口部を設ける構成としたため、光ディスク装置への異物の誤挿入を防止することのできる電子機器を提供することができる。
【図面の簡単な説明】
【０００９】
【図１】本発明の実施形態にかかる電子機器を示す斜視図
【図２】（ａ）同電子機器の断面図（ｂ）同電子機器のガイド部材の斜視図
【図３】同電子機器の断面図
【図４】同電子機器の収納部を示す図
【図５】従来の電子機器の断面図
【発明を実施するための形態】
【００１０】
（実施例１）
以下、本発明の実施形態の電子機器について、図面を用いて説明する。
【００１１】
図１は、車両のコンソールボックスなどに取り付けられた電子機器１の全体斜視図を示している。電子機器１は、光ディスク１２に保持された音楽データなどを再生する再生部１０を収納している。再生部１０は、図２に示す光ディスク装置１０ａが代表である。その他にも電子機器１は、ラジオ２等を本体ケース７に収納している。なお、本発明の実施形態では、再生部１０が光ディスク装置１０ａであるとして説明する。
【００１２】
また、電子機器１は前面パネル３を有し、前面パネル３には、機能を切り替える釦４ａや電源／ボリュームつまみ４ｂに加えて、光ディスク装置１０ａへ光ディスク１２を挿入する挿脱口１１、ラジオ用のチューニングつまみ２ａ等が設けられている。また、内部には、ラジオ２、光ディスク装置１０ａ等を制御する制御部（図示せず）が設けられている。
【００１３】
図２（ａ）は、電子機器１に設けられた本発明の実施形態である前面パネル３の、図１中Ｘ−Ｘ位置における断面図である。
【００１４】
図２（ａ）に示すように光ディスク装置１０ａは、情報が記録された光ディスク１２を内部に収納可能な本体１３と、この本体１３の内部に対して光ディスク１２を挿脱可能な開口１１ａと、本体１３の内部に設けられ、光ディスク１２を挟持した状態で回転することにより搬送可能な一対のローラである挿脱ローラ１４とを備えている。
【００１５】
本体１３の内部には、挿脱口１１から挿入された光ディスク１２の再生を行う図示省略の再生機構が設けられている。
【００１６】
ユーザにより挿入された光ディスク１２は、ガイド部材１８（図２（ｂ）は、拡大した斜視図）により挿脱ローラ１４まで誘導される。また、図２（ａ）、（ｂ）に示すように、異物Ａがユーザにより誤って挿入されたとしても、異物Ａは、ガイド部材１８の下側開口部１８ａから下側へ排出され、光ディスク装置１０ａの本体１３には至らない。
【００１７】
また、ユーザにより光ディスク１２が斜め方向に挿入されたとしても、ガイド部材１８には、リブ部１８ｂを有しているので、光ディスク１２は、下側開口部１８ａに引っかかることなく、挿脱ローラ１４まで誘導される。
【００１８】
よって、ユーザが光ディスク１２を光ディスク装置１０ａへ挿入する際、使い勝手が良く、かつ光ディスク装置１０ａへの異物Ａの挿入を防止することができる。
【００１９】
さらに、ガイド部材１８に下側開口部１８ａおよび／またはリブ部１８ｂを設ける簡単な構造で、光ディスク１２の挿入時の引っかかり防止と、異物Ａの挿入防止を可能とする。つまり、ガイド部材１８に下側開口部１８ａおよび／またはリブ部１８ｂを設けるだけであるので、部品点数を増やすことがなく、生産コストを低減することができる。
【００２０】
図３は、さらに収納部１５を有する形態を示している。また、図４は、図３の形態において、前面パネル３を裏側から見た図を示している。
【００２１】
前面パネル３の裏側には、釦６やつまみ４ｂを実装したプリント基板１６が取り付けられ、このプリント基板１６には、図１の釦４ａによる機能切り替えや、図１のつまみ４ｂによるボリューム操作などを行う回路が実装されている。
【００２２】
また、プリント基板１６には、挿脱口１１と勘合する孔が設けられ、挿脱口１１に挿入された光ディスク１２は、光ディスク装置１０ａへと搬送可能となっている。そして挿脱口１１の本体ケース７側に、前面パネル３と本体ケース７の間に挿脱口１１から侵入した所定の大きさの異物Ａが通過可能な開口部１５ｂを有する収納部１５が設置されている。なお、ガイド部材１８の下側開口部１８ａを通過した異物Ａが収納部１５の開口部１５ｂも通過する構造とする。
【００２３】
この収納部１５は、本体ケース７と前面パネル３の間に設置されており、異物Ａが誤挿入されたとき、異物Ａは光ディスク装置１０ａに入ることなく、異物Ａを一時収納可能な収納部１５の下部のポケット１５ａへ落ちる。そして、ポケット１５ａは、前面パネル３の側面１９に設けたスリット１７に接続する構造となっている。なお、スリット１７は、誤挿入された異物Ａを前面パネル３および本体ケース７の外部へ取り出すことのできる開口部であればよく、形状は縦長の四角形に限らない。したがって、スリット１７は、本体ケース７など別の箇所に設けられてもよい。
【００２４】
また、収納部１５に傾斜を設け、誤挿入された異物がポケット１５ａに集まる構造とすれば、より異物Ａの排出が容易となる。
【００２５】
また、サービス工場などでの電子機器１を車両から外し、本体ケース７を車両に取り付けた状態から略９０度傾けることによりスリット１７が下向きとなるようにすれば、電子機器１の本体ケース７や前面パネル３などを取り外して分解することなく、混入した異物Ａを容易に取り出すことが可能となる。
【００２６】
なお、収納部１５は、前面パネル３の前方に設けたスリット１７と接続され、異物Ａを一時収納するのではなく、異物Ａが誤挿入されるとそのままスリット１７を通じて外部へ異物Ａを排出する構造でもよい。この場合、スリット１７に蓋を設ければ、収納部１５に異物Ａを一時収納する構造を特別に設けなくとも、一時収納可能となる。
【００２７】
ここで、車両に取り付けられた電子機器１は、車両のサービス工場などでは、取り外すことはできても製品保証の問題などにより本体ケース７や前面パネル３などの筺体を分解することができない場合が多い。そうすると、取り外した電子機器を製造したメーカーに送らなければ修理ができないなど、非常に多くの手間や時間が必要になる。
【００２８】
しかし、本発明の実施形態のように、混入した異物を電子機器１の機能に影響しない箇所へ誘導し、スリット１７により容易に取り出すことのできる構造とすることにより、車両のサービス工場などでも異物Ａを容易に取り出すことができる。
【００２９】
以上説明したように、本発明の実施形態による電子機器１は、前面パネル３と本体ケース７の間に、挿脱口１１から誤挿入された小型の異物Ａを誘導する収納部１５を設置している。そうすることにより、光ディスク装置１０ａの内部やプリント基板１６の近くに異物Ａが入ることを防止することのみならず、異物Ａによる光ディスク装置１０ａの詰まりなど、様々な不具合を防止することができる。特に、サービス工場などでは、電子機器１を取り外すことはできても製品保証の問題から分解することができない場合が多い。そのような場合でも、本発明の実施形態のようにスリット１７を設ければ、取り外した電子機器１を製造したメーカーに送り修理をするなどの手間を省くことが可能となる。
【産業上の利用可能性】
【００３０】
以上のように、本発明にかかる電子機器は、本体ケースと、前面パネルと、この前面パネルに光ディスクを挿入する挿脱口を有する電子機器であって、本体ケースに、光ディス
クに保持されたデータを再生する再生部が収納され、挿脱口と再生部の間に光ディスクの通過するガイド部材を備え、このガイド部材に下側開口部を設ける構成としたので、光ディスク装置への異物の誤挿入を防止することができ、車両に搭載される音響機器などとして有用である。
【符号の説明】
【００３１】
１  電子機器
２  ラジオ
３  前面パネル
４ａ、６  釦
４ｂ  電源／ボリュームつまみ
７  本体ケース
１０  再生部
１０ａ  光ディスク装置
１１  挿脱口
１１ａ  開口
１２  光ディスク
１４  挿脱ローラ
１５  収納部
１５ａ  ポケット
１５ｂ  開口部
１６  プリント基板
１７  スリット
１８  ガイド部材
１８ａ  下側開口部
１８ｂ  リブ部
１９  側面
Ａ  異物
【図１】
2012142038.tif 000003
【図２】
2012142038.tif 000004
【図３】
2012142038.tif 000005
【図４】
2012142038.tif 000006
【図５】
2012142038.tif 000007